(57)【要約】【課題】  既記録領域でも安定したプリピット信号（ＬＰＰ信号）の検出を可能とする光ディスク装置を提供する。【解決手段】  トラックの接線方向に対して２分割された分割受光素子の各出力信号を可変ゲイン増幅器（２０、２１）で増幅した信号振幅の値、若しくは、平均信号の値が、所定の差信号を生成するようにゲインを制御し、そのゲイン制御により生成した差信号を基に、ウォブル信号、および、プリピット信号を検出する。【選択図】  図４
2006012308.tif 000002
【特許請求の範囲】
【請求項１】
情報記録メディア上に予め形成されたトラックのウォブル信号、および、プリピット信号を検出する光ディスク装置であって、
前記トラックの接線方向に対して２分割された分割受光素子に対し、前記メディアからの反射光を導く光学手段と、
前記分割受光素子の各出力信号を可変ゲイン増幅器で増幅した信号振幅の値、若しくは、平均信号の値が、所定の差信号を生成するようにゲインを制御するゲイン制御手段と、
前記ゲイン制御手段により生成した差信号を基に、前記ウォブル信号、および、前記プリピット信号を検出する検出手段と、
を有することを特徴とする光ディスク装置。
【請求項２】
前記可変ゲイン増幅器は、２つの可変ゲイン増幅器からなり、
前記ゲイン制御手段は、前記２つの可変ゲイン増幅器の出力信号が、所定の目標信号振幅値、若しくは、所定の目標平均信号値となるようにゲイン制御され、前記目標値を、２つの可変ゲイン増幅器で別々に設定可能とすることを特徴とする請求項１記の光ディスク装置。
【請求項３】
前記可変ゲイン増幅器は、２つの可変ゲイン増幅器からなり、
前記ゲイン制御手段は、
前記可変ゲイン増幅器から出力される信号振幅値、若しくは、平均信号値を各々検波する２つの検波器と、
前記２つの検波器が検波した値を比較し、該比較した値が所定値となるように前記可変ゲイン増幅器を制御する手段と、
を有することを特徴とする請求項１記載の光ディスク装置。
【請求項４】
前記可変ゲイン増幅器は、２つの可変ゲイン増幅器からなり、
前記ゲイン制御手段は、
前記２つの可変ゲイン増幅器から出力される信号振幅値が等しくなるように構成され、
一方の可変ゲイン増幅器の出力信号に対し、所定のゲインを与える第３の増幅器を有し、
前記検出手段は、
前記第３の増幅器により所定のゲインを与えた前記一方の可変ゲイン増幅器の出力信号と、他方の可変ゲイン増幅器の出力信号と、の差信号に基づいて前記ウォブル信号、および、前記プリピット信号を検出することを特徴とする請求項１記載の光ディスク装置。
【請求項５】
前記可変ゲイン増幅器は、２つの可変ゲイン増幅器からなり、
前記ゲイン制御手段は、
一方の可変ゲイン増幅器に所定のオフセット電圧を与える手段と、
前記２つの可変ゲイン増幅器から出力される平均信号値を検波する２つの検波器と、
前記２つの検波器が検波した平均信号値が一致するように前記可変ゲイン増幅器を制御する手段と、
を有することを特徴とする請求項１または３記載の光ディスク装置。
【請求項６】
情報記録メディア上に予め形成されたトラックのウォブル信号、および、プリピット信号を検出する光ディスク装置であって、
前記トラックの接線方向に対して２分割された分割受光素子に対し、前記メディアからの反射光を導く光学手段と、
前記分割受光素子の各出力信号振幅値が等しくなるように２つの可変ゲイン増幅器を制御するゲイン制御手段と、
前記２つの可変ゲイン増幅器から出力された信号から算出された差信号によりウォブル信号を検出する手段と、
前記２つの可変ゲイン増幅器から出力された信号の一方、若しくは、両方に所定のゲインを与えた信号から算出された差信号によりプリピット信号を検出する手段と、
を有することを特徴とする光ディスク装置。
【請求項７】
前記メディア上に記録された情報を再生する際は、前記可変ゲイン増幅器で増幅した信号振幅の値、若しくは、平均信号の値が、所定の差信号を生成するようにゲインを制御し、
前記メディア上に情報を記録する際は、前記差信号が０となるようにゲインを制御することを特徴とする請求項１または６記載の光ディスク装置。
【請求項８】
プリピット信号のある情報記録メディアに対しては、前記可変ゲイン増幅器で増幅した信号振幅の値、若しくは、平均信号の値が、所定の差信号を生成するようにゲインを制御し、
プリピット信号のない情報記録メディアに対しては、前記差信号が０となるようにゲインを制御することを特徴とする請求項１または６記載の光ディスク装置。
【発明の詳細な説明】
【技術分野】
【０００１】
本発明は、プリピット信号及びウォブル信号を検出し、情報を記録再生する光ディスク装置に関し、ＤＶＤ−Ｒ等、高密度光ディスクに適用可能な光ディスク装置に関するものである。
【背景技術】
【０００２】
近年、記録型ＤＶＤが普及してきているが、その一つにＤＶＤ−ＲやＤＶＤ−ＲＷ（以後、ＤＶＤ−Ｒ／ＲＷと表記する）がある。ＤＶＤ−Ｒ／ＲＷは、各半径位置での線速度を正確に検出できるようにするためにトラックを蛇行させるウォブリングがディスク製造時に施されている。これは、ＣＬＶ（線速度一定）回転制御を行った際に、ウォブル周波数が一定となるようなフォーマットが採用されている。これにより、光ディスク装置が、ウォブル信号を検出し、ディスクの回転制御を行ったり、記録用クロックを生成したりすることになる。
【０００３】
例えば、ＣＤ−ＲやＣＤ−ＲＷでは、ＡＴＩＰと呼ばれるアドレス（時間）情報を、周波数変調方式によりウォブル信号として記録している。また、ＤＶＤ＋ＲやＤＶＤ＋ＲＷでは、ＡＤＩＰというアドレス情報を位相変調方式によりウォブル信号として記録している。
【０００４】
なお、ＡＴＩＰ（Ａｂｓｏｌｕｔｅ  Ｔｉｍｅｌｎ  Ｐｒｅ−ｇｒｏｏｖｅ）は、ＣＤ−Ｒメディアの製造元、メディアの種類などの情報が記載されている部分であり、メディアの最内輪の部分で書き込みすることができない場所を示唆するものである。また、ＡＤＩＰ（ＡＤｄｒｅｓｓ  Ｉｎ  Ｐｒｅｇｒｏｏｖｅ）は、メディア上の位置を示すアドレス情報が含まれており、記録時、及び、再生時に光ピックアップの位置制御を正確に行うために必要な情報を示唆するものである。さらに、ＡＤＩＰには、メディアの回転速度に同期した信号が含まれており、所定の位置の情報を正確に記録するために用いられている。
【０００５】
なお、ＤＶＤ−Ｒ／ＲＷのウォブル信号には、ディスク面内の位置情報は含まれていない。そこで、ＤＶＤ−Ｒ／ＲＷでは、位置情報を２つの情報記録用トラック（例えば、グルーブ）の間のガイド用トラック（例えば、ランド）にアドレス情報を含むプリピットを形成することになる。なお、ウォブル信号は、一定周期の比較的振幅の小さい信号であり、プリピット（ＬＰＰ：Ｌａｎｄ  Ｐｒｅ−Ｐｉｔ）信号は、間欠的に発生する比較的振幅の大きい信号であり、基本的に両者は分離可能な信号である。
【０００６】
プリピット信号（ＬＰＰ信号）は、プッシュプル信号から検出された信号を所定のスライスレベルで２値化することで得られる信号である。しかしながら、プリピット信号（ＬＰＰ信号）は、特に、既記録領域において、記録データであるＲＦ信号がノイズとなってしまい、既記録領域では、プリピット信号（ＬＰＰ信号）の検出性能が未記録領域に比べて極端に低下してしまうことになる。
【０００７】
なお、上記の問題は、ウォブル信号の検出においても同様であるが、その対策として、プッシュプル信号の各分割受光素子出力信号の振幅が一定となるように、オートゲインコントロール回路（ＡＧＣ回路）が用いられることが多い（例えば、特許文献１参照）。この、ＡＧＣ回路によりＲＦ信号振幅を等しくした後に、プッシュプル信号を求めることで、ＲＦ信号の同相ノイズ除去率を向上させることが可能となる。
【０００８】
また、既記録ディスクのプリピット検出可能範囲はプッシュプル信号のゲイン差、および位相差をつけることで改善されることを示唆する文献がある（例えば、非特許文献１参照）。
【特許文献１】特開２００３−１７３５４０号公報
【非特許文献１】加藤  正浩、外３名、“ＤＶＤ−ＲＷ  ｖｅｒｓｉｏｎ１．０の要素技術、［ｏｎｌｉｎｅ］、平成１６年６月１５日検索、インターネット＜ＵＲＬ：http://www.pioneer.co.jp/crdl/rd/10-3.html#6＞
【発明の開示】
【発明が解決しようとする課題】
【０００９】
しかしながら、ウォブル信号成分は、両方の分割受光素子出力信号に含まれているのに対し、プリピット信号（ＬＰＰ信号）成分は、片方の分割受光素子出力信号にしか含まれていない。このため、プリピット信号（ＬＰＰ信号）は、ウォブル信号よりも隣接トラックからのクロストークの影響を受け易く、既記録領域での検出は困難となる。
【００１０】
なお、上記特許文献１は、少なくとも記録時にウォブル信号を精度良く安定して検出することができるウォブル信号検出回路に関する技術が示唆されたものであり、特許文献１は、プリピット信号（ＬＰＰ信号）については何ら考慮されたものではない。
【００１１】
本発明は上記事情に鑑みてなされたものであり、既記録領域でも安定したプリピット信号（ＬＰＰ信号）の検出を可能とする光ディスク装置を提供することを目的とするものである。
【課題を解決するための手段】
【００１２】
かかる目的を達成するために、本発明は以下の特徴を有する。
【００１３】
本発明にかかる光ディスク装置は、情報記録メディア上に予め形成されたトラックのウォブル信号、および、プリピット信号を検出する光ディスク装置であって、トラックの接線方向に対して２分割された分割受光素子に対し、メディアからの反射光を導く光学手段と、分割受光素子の各出力信号を可変ゲイン増幅器で増幅した信号振幅の値、若しくは、平均信号の値が、所定の差信号を生成するようにゲインを制御するゲイン制御手段と、ゲイン制御手段により生成した差信号を基に、ウォブル信号、および、プリピット信号を検出する検出手段と、を有することを特徴とするものである。
【００１４】
また、本発明にかかる光ディスク装置において、可変ゲイン増幅器は、２つの可変ゲイン増幅器からなり、ゲイン制御手段は、２つの可変ゲイン増幅器の出力信号が、所定の目標信号振幅値、若しくは、所定の目標平均信号値となるようにゲイン制御され、目標値を、２つの可変ゲイン増幅器で別々に設定可能とすることを特徴とするものである。
【００１５】
また、本発明にかかる光ディスク装置において、可変ゲイン増幅器は、２つの可変ゲイン増幅器からなり、ゲイン制御手段は、可変ゲイン増幅器から出力される信号振幅値、若しくは、平均信号値を各々検波する２つの検波器と、２つの検波器が検波した値を比較し、該比較した値が所定値となるように可変ゲイン増幅器を制御する手段と、を有することを特徴とするものである。
【００１６】
また、本発明にかかる光ディスク装置において、可変ゲイン増幅器は、２つの可変ゲイン増幅器からなり、ゲイン制御手段は、２つの可変ゲイン増幅器から出力される信号振幅値が等しくなるように構成され、一方の可変ゲイン増幅器の出力信号に対し、所定のゲインを与える第３の増幅器を有し、検出手段は、第３の増幅器により所定のゲインを与えた一方の可変ゲイン増幅器の出力信号と、他方の可変ゲイン増幅器の出力信号と、の差信号に基づいてウォブル信号、および、プリピット信号を検出することを特徴とするものである。
【００１７】
また、本発明にかかる光ディスク装置において、可変ゲイン増幅器は、２つの可変ゲイン増幅器からなり、ゲイン制御手段は、一方の可変ゲイン増幅器に所定のオフセット電圧を与える手段と、２つの可変ゲイン増幅器から出力される平均信号値を検波する２つの検波器と、２つの検波器が検波した平均信号値が一致するように可変ゲイン増幅器を制御する手段と、を有することを特徴とするものである。
【００１８】
また、本発明にかかる光ディスク装置は、情報記録メディア上に予め形成されたトラックのウォブル信号、および、プリピット信号を検出する光ディスク装置であって、トラックの接線方向に対して２分割された分割受光素子に対し、メディアからの反射光を導く光学手段と、分割受光素子の各出力信号振幅値が等しくなるように２つの可変ゲイン増幅器を制御するゲイン制御手段と、２つの可変ゲイン増幅器から出力された信号から算出された差信号によりウォブル信号を検出する手段と、２つの可変ゲイン増幅器から出力された信号の一方、若しくは、両方に所定のゲインを与えた信号から算出された差信号によりプリピット信号を検出する手段と、を有することを特徴とするものである。
【００１９】
また、本発明にかかる光ディスク装置は、メディア上に記録された情報を再生する際は、可変ゲイン増幅器で増幅した信号振幅の値、若しくは、平均信号の値が、所定の差信号を生成するようにゲインを制御し、メディア上に情報を記録する際は、差信号が０となるようにゲインを制御することを特徴とするものである。
【００２０】
また、本発明にかかる光ディスク装置は、プリピット信号のある情報記録メディアに対しては、可変ゲイン増幅器で増幅した信号振幅の値、若しくは、平均信号の値が、所定の差信号を生成するようにゲインを制御し、プリピット信号のない情報記録メディアに対しては、差信号が０となるようにゲインを制御することを特徴とするものである。
【発明の効果】
【００２１】
本発明にかかる光ディスク装置は、トラックの接線方向に対して２分割された分割受光素子の各出力信号を可変ゲイン増幅器で増幅した信号振幅の値、若しくは、平均信号の値が、所定の差信号を生成するようにゲインを制御し、そのゲイン制御により生成した差信号を基に、ウォブル信号、および、プリピット信号を検出することで、既記録領域でも安定したプリピット信号の検出を行うことが可能となる。
【発明を実施するための最良の形態】
【００２２】
まず、図１、図２、図４を基に、本発明にかかる光ディスク装置の特徴について説明する。
【００２３】
本発明にかかる光ディスク装置は、図２（ａ）に示唆するように、情報記録メディア（１）（図１参照）上に予め形成されたトラックのウォブル信号、および、プリピット信号を検出する光ディスク装置であって、図２（ｂ）に示唆するように、トラックの接線方向に対して２分割された分割受光素子に対し、メディア（１）からの反射光を導く光学手段（２）と、分割受光素子の各出力信号を可変ゲイン増幅器（２０、２１）（図４参照）で増幅した信号振幅の値、若しくは、平均信号の値が、所定の差信号を生成するようにゲインを制御するゲイン制御手段と、ゲイン制御手段により生成した差信号を基に、ウォブル信号、および、プリピット信号を検出する検出手段と、を有することを特徴とするものである。このように、可変ゲイン増幅器（２０、２１）の出力信号に所定のゲイン差をつけることで、信号振幅の値、若しくは、平均信号の値を、意図的にずらすことになり、既記録領域においても安定したプリピット信号（ＬＰＰ信号）の検出を行うことが可能となる。
【実施例１】
【００２４】
以下、添付図面を参照しながら、本発明にかかる光ディスク装置について説明する。
【００２５】
まず、図１を参照しながら、本発明にかかる光ディスク装置の構成について説明する。なお、図１は、ＤＶＤ−Ｒ／ＲＷドライブ装置の概略構成を示唆するものである。
【００２６】
本発明にかかる光ディスク装置は、メディア（１）と、ピックアップ（２）と、再生回路（３）と、デコーダ（４）と、ＣＰＵメモリ（５）と、エンコーダ（６）と、レーザ制御回路（７）と、演算回路（８）と、サーボ回路（９）と、クロック生成回路（１０）と、ウォブル検出回路（１１）と、ＬＰＰ検出回路（１２）と、アドレスデコーダ（１３）と、モータ（１４）と、を有して構成される。なお、メディア（１）は、光ディスク等の光記録媒体を示唆するものである。
【００２７】
ピックアップ（２）は、メディア（１）上に、レーザ光のスポットを照射し、反射光を検出する。なお、ピックアップ（２）には、レーザ光を集光する対物レンズや、メディア（１）からの反射光を受光素子に導く光学系などが搭載されている。
【００２８】
再生回路（３）は、ピックアップ（２）で検出された再生信号のフィルタリングと、デジタル処理を行う。
【００２９】
デコーダ（４）は、再生回路（３）で生成されたデータのフォーマット変換を行う。
【００３０】
ＣＰＵ（５）は、デコーダ（４）でフォーマット変換されたデータを外部のホストＰＣ等の情報処理装置（図示せず）に送信したり、記録したいデータを外部のホストＰＣ等の情報処理装置（図示せず）から取得し、その取得したデータをエンコーダ（６）に送信したりする。
【００３１】
エンコーダ（６）は、データのフォーマット変換を行う。
【００３２】
レーザ制御回路（７）は、情報ビットに応じてピックアップ（２）に搭載されたレーザの発光制御を行い、メディア（１）上にデータを書き込む。
【００３３】
演算回路（８）は、ピックアップ（２）で検出された分割受光素子出力信号を基に、サーボ信号を生成し、サーボ回路（９）に送信する。また、演算回路（８）は、演算回路（８）にて演算した２分割受光素子出力信号を、ウォブル検出回路（１１）に送信する。
【００３４】
サーボ回路（９）は、演算回路（８）にて生成されたサーボ信号を基に、ピックアップ（２）の位置制御を行う。また、サーボ回路（９）は、クロック生成回路（１０）のクロック信号を基に、メディア（１）が搭載されているモータ（１４）の回転制御を行う。
【００３５】
ウォブル検出回路（１１）は、演算回路（８）にて演算された２分割受光素子出力信号を基に、ウォブル信号を抽出し、クロック生成回路（１０）に送信する。
【００３６】
クロック生成回路（１０）は、ウォブル検出回路（１１）において抽出されたウォブル信号を基に、メディア（１）の回転に追従した正確なクロック信号を生成し、サーボ回路（９）に送信する。
【００３７】
ＬＰＰ検出回路（１２）は、演算回路（８）にて演算された２分割受光素子出力信号から物理アドレス情報を含むプリピット信号を検出する。
【００３８】
アドレスデコーダ（１３）は、プリピット信号をアドレス情報に変換し、アクセス位置のアドレス情報を再生する。
【００３９】
次に、図１に示唆する光ディスク装置における処理動作について説明する。
【００４０】
まず、ピックアップ（２）は、メディア（１）上にレーザ光のスポットを照射し、反射光を検出し、再生信号を取得する。そして、その取得した再生信号を再生回路（３）に送信する。再生回路（３）は、その再生信号のフィルタリングとデジタル化を行いデコーダ（４）に出力する。デコーダ（４）は、再生回路（３）で生成されたデータのフォーマット変換を行い、ＣＰＵ（５）を介して外部ホスト（図示せず）に送信する。
【００４１】
また、ＣＰＵ（５）は、記録すべきデータを外部ホスト（図示せず）から取得し、その取得したデータをエンコーダ（６）に送信する。エンコーダ（６）は、データのフォーマット変換を行い、レーザ制御回路（７）は、情報ビットに応じてピックアップ（２）に搭載されたレーザの発光制御を行い、メディア（１）上にデータが書き込まれることになる。
【００４２】
一方、ピックアップ（２）で検出された分割受光素子出力信号を演算回路（８）に送信し、演算回路（８）は、分割受光素子出力信号を基にサーボ信号を生成し、その生成したサーボ信号をサーボ回路（９）に送信する。サーボ回路（９）は、サーボ信号を基に、ピックアップ（２）の位置制御を行うことになる。また、サーボ回路（９）は、クロック生成回路（１０）のクロック信号を基に、メディア（１）が搭載されているモータ（１４）の回転制御も行うことになる。
【００４３】
一方、演算回路（８）で演算された２分割受光素子出力信号は、ウォブル検出回路（１１）に送信されることになり、ウォブル検出回路（１１）は、２分割受光素子出力信号からウォブル信号を抽出し、該抽出したウォブル信号をクロック生成回路（１０）に送信する。
【００４４】
クロック生成回路（１０）は、ウォブル信号を基に、メディア（１）の回転に追従した正確なクロック信号を生成する。また、ＬＰＰ検出回路（１２）は、演算回路（８）で演算された２分割受光素子出力信号から物理アドレス情報を含むプリピット信号（ＬＰＰ信号）を検出し、アドレスデコーダ（１３）に送信する。アドレスデコーダ（１３）は、プリピット信号をアドレス情報に変換し、アクセス位置のアドレス情報を再生することになる。
【００４５】
次に、図２を参照しながら、分割受光素子と、ディスクのトラック構成について説明する。なお、図２は、本実施例における分割受光素子（図２（ｂ））と、ディスクのトラック構成（図２（ａ））を示唆するものである。
【００４６】
図１に示唆する光ディスク装置のメディア（１）上には、図２（ａ）に示唆するようなグルーブ（Ｇｒｏｏｖｅ）と呼ばれる溝（トラック）が、蛇行しながら螺旋上に刻まれている。
【００４７】
ＤＶＤ−Ｒの場合には、トラッキング制御を行い、グルーブ（１）上に、データの記録、および、再生を行うことになる。なお、図２（ａ）に示唆するように、グルーブとグルーブとの間は、ランド（Ｌａｎｄ）と呼ばれており、このランド上に予めディスクの位置情報等を表すためのピット（以後、ＬＰＰ：Ｌａｎｄ  Ｐｒｅ−Ｐｉｔ）がディスク製造段階から記録されている。
【００４８】
分割受光素子は、図２（ｂ）に示唆するように、メディア（１）上に照射されたスポットからの反射信号に対し、トラック接線方向に対応した分割線で分けられている。例えば、図２（ｂ）の例では、Ａ〜Ｄの４分割の受光素子が用いられており、ウォブル信号演算としては、トラック接線方向の分割受光素子の差分（Ａ＋Ｄ）−（Ｂ＋Ｃ）から検出することになる。従って、トラックの接線方向に対して、（Ａ＋Ｄ）と、（Ｂ＋Ｃ）と、に２分割された分割受光素子の出力信号の差分（Ａ＋Ｄ）−（Ｂ＋Ｃ）から検出することになる。
【００４９】
なお、プリピットは、トラックの中心に対してディスク外周側に記録されているので、未記録ディスクであれば、外周側の分割受光素子を（Ａ＋Ｄ）とすると、（Ａ＋Ｄ）のみを検出することで、プリピット検出が行えることになる。しかし、ディスクにデータを記録した後では、ＲＦ信号成分がノイズとなり、Ｂのみ検出してもプリピットは正しく検出できないことになる。そこで、ウォブル検出と同様に、差分（Ａ＋Ｄ）−（Ｂ＋Ｃ）を求めることで、ＲＦ信号成分を除去してプリピット検出を行うのが一般的である。
【００５０】
ここで、図３を参照しながら、ＤＶＤ−Ｒ／−ＲＷのウォブル信号と、プリピット信号（ＬＰＰ信号）について説明する。なお、本実施例では、プリピット信号（ＬＰＰ信号）の極性は、ウォブル信号の上側に発生するものとする。
【００５１】
ＤＶＤのチャンネルビット（基準線速度で２６．１５６２５ＭＨｚ）の周期をＴとすると、ウォブル信号周期は、１８６Ｔ（基準速度で、約１４０ｋＨｚ）、１シンクフレームは、８ウォブルである。即ち、図３に示唆するように、１フレームは、１４８×８＝１４８８Ｔとなる。
【００５２】
また、ＤＶＤデータの１セクタは、２６シンクフレームから構成されるが、それぞれのフレームを、セクタの先頭フレームからＥＶＥＮ（偶数）フレーム、ＯＤＤ（奇数）フレーム、と順に呼ぶとすると、プリピット信号（ＬＰＰ信号）は、ＥＶＥＮフレーム、もしくは、ＯＤＤフレームの何れかに記録されていることになる。基本的に、プリピット信号（ＬＰＰ信号）は、ＥＶＥＮフレームの先頭３ウォブルそれぞれのピーク位置に記録されているが、内周側に記録されたプリピット信号（ＬＰＰ信号）と干渉してしまう恐れのある個所については、ＯＤＤフレームに記録されており、セクタ毎に異なることになる。また、プリピット信号（ＬＰＰ信号）は、２フレーム毎に１ｂｉｔを構成しており、シンク１ｂｉｔ＋データ１２ｂｉｔが１セクタ毎に記録されることになる。
【００５３】
次に、図４を参照しながら、ウォブル信号とプリピット信号（ＬＰＰ信号）とを検出する際の処理動作について説明する。なお、図４は、一般的なウォブル信号とプリピット信号（ＬＰＰ信号）との検出回路を示唆する構成図である。
【００５４】
本発明にかかる光ディスク装置は、図１に示唆するピックアップ（２）の分割受光素子からの出力信号である分割受光素子出力信号（Ａ＋Ｄ）と（Ｂ＋Ｃ）とに対し、ＡＧＣ（Ａｕｔｏ  Ｇａｉｎ  Ｃｏｎｔｒｏｌ）回路（２０、２１）で振幅を一定にすることになる。
【００５５】
（Ａ＋Ｄ）と（Ｂ＋Ｃ）との出力振幅の差は、ピックアップ（２）の組み付け誤差などによる分割受光素子のばらつき、メディア（１）の偏心や面ぶれ、レンズの位置の変化等により発生することになる。これらの要因により発生した分割受光素子出力信号の振幅の違いを、各受光素子経路に挿入されたＡＧＣ回路（２０、２１）において振幅を一定にすることで、減算器（２２）を通したときに、効率良くＲＦ信号成分を除去したプッシュプル信号を取得することが可能となる。
【００５６】
これは、ウォブル信号成分が、（Ａ＋Ｄ）と（Ｂ＋Ｃ）とで逆位相で現れるのに対し、ＲＦ信号成分が、同位相で現れるためである。言い換えると、ＡＧＣ回路（２０、２１）によりＲＦ信号の同相除去率を向上させることが可能となり、ＲＦ信号振幅が等しいときに、最もＲＦ信号の同相除去率を向上させることが可能となる。以下、図５を参照しながら、ＡＧＣ回路（２０、２１）における処理動作について説明する。なお、図５は、ＡＧＣ回路（２０、２１）の動作のイメージ図を示唆する。
【００５７】
図５（ａ）に示唆するように、ＡＧＣ回路（２０、２１）に入力される前の（Ａ＋Ｄ）と（Ｂ＋Ｃ）との出力振幅は異なるため、ＡＧＣ回路（２０、２１）で、図５（ｂ）に示唆するように、（Ａ＋Ｄ）と（Ｂ＋Ｃ）との出力振幅を一定にする。これにより、減算器（２２）において減算処理を行った際に、図５（ｃ）に示唆するように、効率良くＲＦ信号成分を除去したプッシュプル信号を取得することになる（（Ａ＋Ｄ）−（Ｂ＋Ｃ））。
【００５８】
なお、減算器（２２）から出力されたプッシュプル信号は、図４に示唆するように、２つの経路に分かれることになり、１つは、ウォブル信号を検出するブロック（ウォブル検出回路（１１））、もう１つは、プリピット信号（ＬＰＰ信号）を検出するブロック（ＬＰＰ検出回路（１２））に分かれることになる。
【００５９】
ウォブル検出回路（１１）は、ウォブル信号周波数を中心周波数とするＢＰＦ（Ｂａｎｄ  Ｐａｓｓ  Ｆｉｔｅｒ）（２３）によりノイズを除去し、ウォブル周波数成分だけを抽出し、これを２値化回路（２４）にて２値化することになる。そして、２値化したウォブルクロック信号をＰＬＬ回路（２９）により逓倍し、ＥＦＭエンコーダ（３０）にてライト用クロック（ｗｒｉｔｅ  パルス）を生成することになる。これは、図１のクロック生成回路（１０）に相当する。これにより、メディア（１）の回転数に同期した記録クロック信号が生成されることになる。なお、ＥＦＭエンコーダ（３０）には、Ｗｒｉｔｅデータ（３１）が入力されることになる。また、ＰＬＬ回路（２９）は、ＬＰＰデコーダ（２７）に対し、逓倍したウォブルクロック信号を出力する。
【００６０】
ＬＰＰ検出回路（１２）は、スライスレベル設定回路（２５）にて、プッシュプル信号をスライスするレベルを設定し、その設定したスライスレベルを２値化回路（２６）に出力することで、プッシュプル信号からプリピット信号（ＬＰＰ信号）を抽出することになる。なお、スライスレベル設定回路（２５）にて採用されるスライスレベルの設定方法として、ある固定レベルでスライスするような方式や、ＬＰＰ振幅を検出した結果に応じてスライスレベルが変化するような方式などが挙げられる。２値化回路（２６）にて２値化されたプリピット信号（ＬＰＰ信号）は、ＬＰＰデコーダ（２７）にてデコードされ、アドレス検出回路（２８）にてアドレス検出が行われ、ＥＦＭエンコーダ（３０）に出力されることになる。以下、図６を参照しながら、プッシュプル信号をスライスする際の処理動作について説明する。
【００６１】
図６に示唆するように、プッシュプル信号をスライスするレベル（スライスレベル）を設定することで、ウォブル信号とプリピット信号（ＬＰＰ信号）とを含むプッシュプル信号からプリピット信号（ＬＰＰ信号）のみを抽出することが可能となる。そして、その抽出したプリピット信号（ＬＰＰ信号）を２値化することになる。
【００６２】
このように、プリピット信号（ＬＰＰ信号）は、プッシュプル信号から検出された信号を、ＬＰＰ検出回路（１２）において、所定のスライスレベルで２値化することで得られることになる。しかしながら、プリピット信号（ＬＰＰ信号）は、特に、既記録領域において記録データであるＲＦ信号がノイズとなってしまい、プリピット信号（ＬＰＰ信号）の検出性能が未記録領域に比べて極端に低下してしまうことになる。
【００６３】
ウォブル信号の検出処理は、上述したＡＧＣ回路（２０、２１）により、（Ａ＋Ｄ）と、（Ｂ＋Ｃ）と、の両チャンネルのＲＦ信号振幅を等しくし、同相除去率が高くなればなるほど、その検出性能が向上することになる。しかし、これはウォブル信号成分が（Ａ＋Ｄ）と、（Ｂ＋Ｃ）と、の両チャンネルにほぼ同じ大きさで載ってくるからである。
【００６４】
これに対し、プリピット信号（ＬＰＰ信号）は、外周側の分割受光素子（ここでは（Ａ＋Ｄ）とする）に、そのほとんどのプリピット信号（ＬＰＰ信号）成分が現れることになり、内周側の分割受光素子（Ｂ＋Ｃ）には、プリピット信号（ＬＰＰ信号）成分がほとんど載ってこない。すると、（Ａ＋Ｄ）のＲＦ信号振幅は変わらないが、平均的な反射率が低下することになり、隣接トラックからのクロストークの影響が両チャンネルで変わってくることになる。その結果、（Ａ＋Ｄ）の信号レベルを（Ｂ＋Ｃ）より若干（１ｄＢ程度）大きくした方が、プリピット信号（ＬＰＰ信号）の検出性能を高くすることが可能となる。
【００６５】
そこで、本発明にかかる光ディスク装置は、分割受光素子の各出力信号をＡＧＣ回路（２０、２１）で増幅した信号振幅の値、若しくは、平均信号の値が、所定の差信号を生成するようにゲインを制御し、そのゲインの制御により生成した差信号を基に、ウォブル信号、および、プリピット信号（ＬＰＰ信号）を検出することとする。このように、ＡＧＣ回路（２０、２１）を用いて、プッシュプル信号の出力信号レベルを意図的にずらすことで、既記録領域においても安定したプリピット信号（ＬＰＰ信号）の検出を行うことが可能となる。
【００６６】
なお、両チャンネルにゲイン差をつけることにより、ＲＦ信号振幅が変わってしまうため、ビームスポットのあるトラックのＲＦ信号成分は除去しきれなくなり、ウォブル信号のＣ／Ｎ（Ｃａｒｒｉｅｒ  ｔｏ  Ｎｏｉｓｅ）が低下してくることから、プリピット信号（ＬＰＰ信号）の検出性能と、ウォブル信号のＣ／Ｎと、の兼合いをみて、ゲイン差を決定することが好ましい。
【００６７】
次に、図７を参照しながら、ＡＧＣ回路の構成について説明する。
図７に示唆する回路構成は、ＡＧＣ回路（２０、２１）の振幅値を（Ａ＋Ｄ）と、（Ｂ＋Ｃ）と、の両チャンネルで、別々に設定できるような回路構成にしたものである。
【００６８】
図７に示唆するＡＧＣ回路（２０）は、目標値となる信号レベルの値を目標設定１（７０３）に設定しておき、可変ゲインアンプ１（７０１）から出力される信号レベルを検波器１（７０２）が検出し、その検出した値が、目標設定１（７０３）に設定した信号レベルの値であると判定した場合に、検波器１（７０２）が、可変ゲインアンプ１（７０１）に対してゲイン指令を行うことになる。なお、ＡＧＣ回路（２１）においても、目標値となる信号レベルの値を目標設定２（７１３）に設定しておき、ＡＧＣ回路（２０）と同様な処理を行うことになる。この場合、目標設定１（７０３）と目標設定２（７１３）とに設定する目標値に所定の差をつけることとする。
【００６９】
このように、ＡＧＣ回路（２０、２１）の目標値をプッシュプル信号の各チャンネルに対してそれぞれ別々に設定し、ＡＧＣ回路（２０、２１）の目標値に所定の差をつけることで、ゲイン差を生じさせ、両チャンネルのゲインバランスを所定量崩すことになり、既記録領域でも安定したプリピット信号（ＬＰＰ信号）の検出を行うことが可能となる。ここで、ＡＧＣ回路（２０、２１）の方式として、ＲＦ信号振幅が目標値に一致するようなＡＣ制御と、平均信号レベルが目標値に一致するようなＤＣ制御と、がある。
【実施例２】
【００７０】
次に、第２の実施例について説明する。
第２の実施例は、図８に示唆するように、（Ａ＋Ｄ）と、（Ｂ＋Ｃ）と、の各チャンネルの信号レベルを検波した結果を比較器（８０６）にて比較し、可変ゲインアンプ（８０１、８０２）を制御することを特徴とするものである。以下、図８を参照しながら、第２の実施例におけるＡＧＣ回路について説明する。
【００７１】
第２の実施例におけるＡＧＣ回路は、図８に示唆するように、ゲイン指令を発するための所定の目標値を予め目標設定（８０５）に設定する。そして、可変ゲインアンプ１（８０１）から出力される信号レベルを検波器１（８０３）が検出し、その検出した信号レベルを比較器（８０６）に送信する。また、可変ゲインアンプ２（８０２）から出力される信号レベルを検波器２（８０４）が検出し、その検出した信号レベルを比較器（８０６）に送信する。そして、比較器（８０６）は、検波器１（８０３）と検波器２（８０４）とから送信される信号レベルを比較し、検波器１（８０３）と検波器２（８０４）との信号レベルの差が、目標設定（８０５）に設定された目標値となった場合に、ゲイン指令（８０７）に信号を送信し、ゲイン指令（８０７）が可変ゲインアンプ１（８０１）と可変ゲインアンプ２（８０２）とにゲイン指令を送信することになる。
【００７２】
つまり、第２の実施例におけるＡＧＣ回路は、ＡＧＣ回路出力における具体的な目標値はないが、（Ａ＋Ｄ）と、（Ｂ＋Ｃ）と、の両チャンネルの大きさのバランスは固定値となる。そして、目標値となる両チャンネルのバランスを設定し、意図的に所定のゲイン差をつけさせ、既記録領域においても安定したプリピット信号（ＬＰＰ信号）の検出を行うことができるようにするものである。また、図８に示唆するように、ＡＧＣ回路が１つで済むため、例えば、図７に示唆する、両チャンネル別々にＡＧＣ回路をもつ場合に比べて、回路規模を簡略化することが可能となる。ここでも、ＡＧＣ回路の方式としては、ＲＦ信号振幅が目標値に一致するようなＡＣ制御と、平均信号レベルが目標値に一致するようなＤＣ制御とがある。
【００７３】
このように、可変ゲイン増幅器は、２つの可変ゲイン増幅器（８０１、８０２）からなり、可変ゲイン増幅器（８０１、８０２）からの出力信号振幅値、若しくは、平均信号値を２つの検波器（８０３、８０４）が各々検波し、その２つの検波器（８０３、８０４）が検波した値を比較器（８０６）において比較し、該比較した値が所定値となるように可変ゲイン増幅器（８０１、８０２）を制御し、各チャンネルの信号レベルのゲインバランスが所定量ずれるようにＡＧＣ制御を行うことで、既記録領域においても安定したプリピット信号（ＬＰＰ信号）の検出を行うことが可能となる。また、プッシュプル信号の各チャンネルのバランスを制御する形のＡＧＣ回路を用いることにより、ＡＧＣ回路が１つで済むため、両チャンネル別々にＡＧＣ回路を１つずつもつ場合に比べて回路規模を簡素化することが可能となる。
【実施例３】
【００７４】
次に、第３の実施例について説明する。
第３の実施例は、図９に示唆するように、ＡＧＣ回路（２０、２１）によって、（Ａ＋Ｄ）と、（Ｂ＋Ｃ）と、の両チャンネルを等し、所定のゲインを片方、もしくは、両方のチャンネルに与えることで、一定量のゲインバランスずれを生じさせ、既記録領域においても安定したプリピット信号（ＬＰＰ信号）の検出を行うことを特徴とするものである。以下、図９を参照しながら、第３の実施例におけるＡＧＣ回路について説明する。
【００７５】
第３の実施例におけるＡＧＣ回路は、図９に示唆するように、ＡＧＣ１（２０）と、ＡＧＣ２（２１）と、を用いて、（Ａ＋Ｄ）と、（Ｂ＋Ｃ）と、の両チャンネルを等しくし、ＡＭＰ（９０１）において、所定のゲインをＡＧＣ１（２０）側のチャンネルに与えることで、一定量のゲインバランスのずれを生じさせることとした。
【００７６】
このように、ＡＧＣ回路（２０、２１）により、プッシュプル信号の両チャンネル出力を等しくし、所定のゲインを、片方、もしくは、両方のチャンネルに与えることで、一定量のゲインバランスのずれを生じさせ、既記録領域においても安定したプリピット信号（ＬＰＰ信号）の検出を行うことが可能となる。ここでも、ＡＧＣ回路（２０、２１）の方式としては、ＲＦ信号振幅が目標値に一致するようなＡＣ制御と、平均信号レベルが目標値に一致するようなＤＣ制御と、がある。
【実施例４】
【００７７】
次に、第４の実施例について説明する。
第４の実施例は、図１０に示唆するように、（Ａ＋Ｄ）と、（Ｂ＋Ｃ）と、の各チャンネルの平均レベルを検出し、ゲインバランスを制御するＡＧＣ回路に対し、入力信号に対して所定量のオフセットを与えることで、既記録領域においても安定したプリピット信号（ＬＰＰ信号）の検出を行うことを特徴とするものである。以下、図１０を参照しながら、第４の実施例におけるＡＧＣ回路について説明する。
【００７８】
第４の実施例におけるＡＧＣ回路は、図１０に示唆するように、可変ゲインアンプ１（１００１）から出力された信号レベルをローパスフィルタ１（ＬＰＦ１（１００３））にて抽出し、その抽出した信号レベルが検波器１（１００５）に送信される。検波器１（１００５）は、ＬＰＦ１（１００３）から取得した信号レベルを比較器（１００７）に送信することになる。また、可変ゲインアンプ２（１００２）から出力された信号レベルをローパスフィルタ２（ＬＰＦ２（１００４））にて抽出し、その抽出した信号レベルが検波器２（１００６）に送信される。検波器２（１００６）は、ＬＰＦ２（１００６）から取得した信号レベルを比較器（１００７）に送信することになる。比較器（１００７）は、検波器１（１００５）と検波器２（１００６）とから送信された信号レベルを比較し、可変ゲインアンプ１（１００１）と、可変ゲインアンプ２（１００２）と、の平均出力信号レベルが一致するように、ゲイン指令を行うことになる。なお、本実施例の図１０に示唆するＡＧＣ回路においては、所定量のオフセットを可変ゲインアンプ２（１００２）に与えることになる。
【００７９】
このように、プッシュプル信号の各チャンネルの平均レベルを検出し、ゲインバランスを制御するＡＧＣ回路に対し、入力信号に所定量のオフセットを与えることで既記録領域においても安定したプリピット信号（ＬＰＰ信号）の検出を行うことができる。また、プッシュプル信号の各チャンネル出力振幅のバランスを制御するＡＧＣ回路を用いてゲインバランスを崩した場合には、ＲＦ信号の無い未記録領域においてＡＧＣ回路のゲインが大きくずれてしまい、未記録領域から既記録領域への境界部においてＡＧＣゲイン変動が生じ、境界部付近でのプリピット信号（ＬＰＰ信号）、及び、ウォブル信号の検出性能が低下してしまうという問題があるが、平均レベルを検出することで、未記録から既記録への境界部においても安定したプリピット信号（ＬＰＰ信号）、及び、ウォブル信号の検出を行うことが可能となる。
【００８０】
なお、ＤＣ制御型のＡＧＣ回路の場合は、入力段階において回路オフセットが発生しないようにオフセット調整機能を搭載している場合があるが、その機能を用いることでも本実施例を実現することは可能である。
【００８１】
また、（Ａ＋Ｄ）と、（Ｂ＋Ｃ）と、の各振幅のバランスを制御するＡＧＣ回路を用いてゲインバランスを崩した場合は、ＲＦ信号の無い未記録領域において、ＡＧＣ回路のゲインが大きくずれてしまうため、特に、未記録領域から既記録領域への境界部において、大きなＡＧＣゲイン変動が生じ、ＡＧＣ回路が整定するまでの間、境界部付近においてプリピット信号（ＬＰＰ信号）、及び、ウォブル信号の検出性能が低下してしまうことになる。
【実施例５】
【００８２】
次に、第５の実施例について説明する。
第５の実施例は、図１１に示唆するように、ＡＧＣ回路により、（Ａ＋Ｄ）と、（Ｂ＋Ｃ）と、の両チャンネルを等しくしてから、ＬＰＰ検出のための差動演算器と、ウォブル検出を行うための差動演算器と、を別にして、ＬＰＰ検出系には、所定のゲインを与えることでゲイン差をつけられるようにしたことを特徴とするものである。以下、図１１を参照しながら、第５の実施例におけるＡＧＣ回路について説明する。
【００８３】
第５の実施例におけるＡＧＣ回路は、図１１に示唆するように、ＡＧＣ１（２０）と、ＡＧＣ２（２１）と、を用いて、（Ａ＋Ｄ）と、（Ｂ＋Ｃ）と、の両チャンネルを等しくし、プリピット信号（ＬＰＰ信号）を検出するための演算器（１１０２）と、ウォブル信号を検出するための演算器（１１０３）と、を各々設け、プリピット信号（ＬＰＰ信号）を検出するための演算器（１１０２）に対しては、ＡＭＰ（１１０１）において、所定のゲインをＡＧＣ１（２０）側のチャンネルに与えることで、一定量のゲインバランスずれを生じさせることとした。
【００８４】
ＬＰＰ検出性能の向上のために、（Ａ＋Ｄ）と、（Ｂ＋Ｃ）と、のゲイン差をつけると、どうしてもある程度ウォブルＣ／Ｎが低下してしまうが、図１１に示唆する回路構成であればＡＧＣ回路を共通にしながら簡単な構成でＬＰＰ検出と、ウォブル検出と、の検出性能を高めることが可能となる。このように、ＬＰＰ検出と、ウォブル検出と、を行う経路とを別々にすることで、ＡＧＣ回路は共通にしながらＬＰＰ検出と、ウォブル検出と、の検出性能を高めることが可能となる。
【実施例６】
【００８５】
次に、第６の実施例について説明する。
第６の実施例は、メディア（１）への再生時と記録時とでＡＧＣ動作を切替えられるようにしたことを特徴とするものである。再生時には、ＬＰＰ検出性能を高め、安定したアドレス検出ができることが重要となるため、（Ａ＋Ｄ）と、（Ｂ＋Ｃ）と、のゲイン差をつけるようにした。一方、メディア（１）への記録時は、記録パルスの影響で、もともと、記録中のプリピット信号（ＬＰＰ信号）の検出は困難であり、また、特に、記録中にプリピット信号（ＬＰＰ信号）が読めなければいけない理由もない。しかし、ウォブル信号は、記録のためのエンコーダ回路のクロックを生成する基となるため、ウォブル信号を安定させて検出しなければならない。そこで、記録時には、（Ａ＋Ｄ）と、（Ｂ＋Ｃ）と、のゲイン差が無いようにＡＧＣ動作を行うように切替えることとする。これにより、安定した記録再生動作を実現することが可能となる。
【００８６】
なお、プリピット信号（ＬＰＰ信号）を持たず、ウォブル信号にアドレスなどのディスク情報を予め記録してあるメディアとして、例えば、ＤＶＤ＋Ｒがある。以下、図１２を参照しながら、ＤＶＤ＋ＲのＷｏｂｂｌｅ信号について説明する。なお、図１２は、ＤＶＤ＋Ｒにおけるウォブル信号を示唆する図である。
【００８７】
ＤＶＤの基本チャネルクロック周期をＴとすると、ＤＶＤ＋Ｒのウォブル信号の周期は、３２Ｔと定められている。ここで、ＤＶＤの基準線速度においては、Ｔ＝３８．２［ｎｓ］程度である。
【００８８】
ウォブル信号の変調方式としては、２相位相変調方式が用いられており、位相を０°と１８０°に１周期単位で反転させることで、ウォブル信号にＡＤＩＰ情報を記録している。具体的には、ウォブル信号の９３周期分で、１  ＡＤＩＰ  Ｂｉｔを構成し（１  ＡＤＩＰ  ｄａｔａ  ｕｎｉｔ＝９３  ｗｏｂｂｌｅ）、５２  ＡＤＩＰ  Ｂｉｔで、１  ＡＤＩＰ  Ｗｏｒｄとなる。図１２に示唆するように、ＡＤＩＰ  Ｂｉｔを構成する９３周期のウォブル信号をそれぞれ、Ｗｏｂｂｌｅ＃００、Ｗｏｂｂｌｅ＃０１、…、Ｗｏｂｂｌｅ＃９２と表すことにすると、Ｗｏｂｂｌｅ＃００〜＃０４が、同期信号（ｓｙｎｃ）を示唆し、Ｗｏｂｂｌｅ＃０４〜＃０７が、Ｄａｔａ（ＡＤＩＰ  １  Ｂｉｔ相当）を示唆し、残りのＷｏｂｂｌｅ＃０８〜＃９２は、位相変調を含まない単一ウォブルで搬送波成分（ｍｏｎｏｔｏｎｅ）を示唆することになる。
【００８９】
このように、メディア上に記録された情報を再生する場合は、可変ゲイン増幅器で増幅した信号振幅の値、若しくは、平均信号の値が、所定の差信号を生成するようにゲインを制御し、メディア上に情報を記録する場合は、可変ゲイン増幅器で増幅した信号振幅の値、若しくは、平均信号の値が、差信号が０となるようにゲインを制御することで、再生時には、ＬＰＰ検出性能を高め、安定したアドレス検出を行うことが可能となり、記録時には、ウォブル信号検出性能を高めることで安定した記録クロックを生成できるようになり、安定した記録再生動作を行うことが可能となる。
【実施例７】
【００９０】
次に、第７の実施例について説明する。
第７の実施例は、ＤＶＤ−Ｒなどのプリピットによりメディア情報が記録されたメディアに対しては、（Ａ＋Ｄ）と、（Ｂ＋Ｃ）と、のゲイン差をつけるように制御し、ＤＶＤ＋Ｒなどのウォブル信号のみによりメディア情報が記録されたメディアに対しては、（Ａ＋Ｄ）と、（Ｂ＋Ｃ）と、のゲインがないように制御する。これにより、どちらのメディアに対しても安定した記録再生を実現することが可能となる。
【００９１】
このように、プリピット信号のある情報記録メディアに対しては、可変ゲイン増幅器で増幅した信号振幅の値、若しくは、平均信号の値が、所定の差信号を生成するようにゲインを制御し、プリピット信号のない情報記録メディアに対しては、差信号が０となるようにゲインを制御することで、ＤＶＤ−Ｒなどのプリピット信号によるメディア情報が記録されたメディアに対しても、ＤＶＤ＋Ｒなどのウォブル信号によるメディア情報が記録されたメディアに対しても安定した記録再生を行うことが可能となる。
【００９２】
なお、上述する実施例は、本発明の好適な実施例であり、上記実施例のみに本発明の範囲を限定するものではなく、本発明の要旨を逸脱しない範囲において種々の変更を施した形態での実施が可能である。例えば、上述した実施例の光ディスク記録装置における処理動作は、光ディスク記録装置に組み込まれたコンピュータプログラムにより実行することも可能であり、例えば、このプログラムを、光記録媒体、磁気記録媒体、光磁気記録媒体、または、半導体等の記録媒体に記録し、該記録した記録媒体から光ディスク記録装置に読み込むことで、本実施例の光ディスク記録装置における処理動作を実施することは可能となる。また、所定のネットワークを介して接続されている外部の接続機器から光ディスク記録装置にダウンロードすることでも本実施例の光ディスク記録装置における処理動作を実施することは可能である。
【産業上の利用可能性】
【００９３】
本発明にかかる光ディスク装置は、ＤＶＤ−Ｒ等、高密度光ディスクに適用可能である。
【図面の簡単な説明】
【００９４】
【図１】本発明にかかる光ディスク装置の概略構成を示唆する図である。
【図２】分割受光素子と、ディスクのトラック構成と、を説明するための図であり、（ａ）は、ディスクのトラック構成を示唆し、（ｂ）は、分割受光素子の構成を示唆する。
【図３】ＤＶＤ−Ｒ／ＲＷのウォブル信号とプリピット信号とを示唆する図である。
【図４】ウォブル信号とプリピット信号とを検出する回路構成を示唆する図である。
【図５】ＡＧＣ回路（２０、２１）における処理動作を説明するための図である。
【図６】プッシュプル信号をスライスする際の処理動作を説明するための図である。
【図７】第１の実施例におけるＡＧＣ回路の構成を示唆する図である。
【図８】第２の実施例におけるＡＧＣ回路の構成を示唆する図である。
【図９】第３の実施例におけるＡＧＣ回路の構成を示唆する図である。
【図１０】第４の実施例におけるＡＧＣ回路の構成を示唆する図である。
【図１１】第５の実施例におけるＡＧＣ回路の構成を示唆する図である。
【図１２】ＤＶＤ＋Ｒのウォブル信号を示唆する図である。
【符号の説明】
【００９５】
１    メディア
２    ピックアップ
３    再生回路
４    デコーダ
５    ＣＰＵメモリ
６    エンコーダ
７    レーザ制御回路
８    演算回路
９    サーボ回路
１０    クロック生成回路
１１    ウォブル検出回路
１２    ＬＰＰ検出回路
１３    アドレスデコーダ
１４    モータ
２０、２１    ＡＧＣ回路
２２    減算器
２３    ＢＰＦ
２４、２６    ２値化回路
２５    スライスレベル設定回路
２７    ＬＰＰデコーダ
２８    アドレス検出回路
２９    ＰＬＬ回路
３０    ＥＦＭエンコーダ
３１    Ｗｒｉｔｅデータ
【図１】
2006012308.tif 000003
【図２】
2006012308.tif 000004
【図３】
2006012308.tif 000005
【図４】
2006012308.tif 000006
【図５】
2006012308.tif 000007
【図６】
2006012308.tif 000008
【図７】
2006012308.tif 000009
【図８】
2006012308.tif 000010
【図９】
2006012308.tif 000011
【図１０】
2006012308.tif 000012
【図１１】
2006012308.tif 000013
【図１２】
2006012308.tif 000014